(57)【要約】【課題】幼齢木の成長を妨げず、太陽光も十分に通り、幼齢木の周囲の環境を外気環境と同じ環境に保ち、運搬も取り付けも簡単な幼齢木食害防止用プロテクターを提供する。【解決手段】伸縮性を有する編物からなるネットで形成された筒状ネット2からなり、前記筒状ネット2の上下のそれぞれの開口部周囲縁に紐を挿通するための紐通しガイド部3,4が形成されていて、当該上下の紐通しガイド部内にそれぞれ紐5,6が挿通されている幼齢木食害防止用プロテクター1。【選択図】図１
2010239889.tif 000002
【特許請求の範囲】
【請求項１】
伸縮性を有する編物からなるネットで形成された筒状ネットからなり、前記筒状ネットの上下のそれぞれの開口部周囲縁に紐を挿通するための紐通しガイド部が形成されていて当該上下の紐通しガイド部内にそれぞれ紐が挿通されている幼齢木食害防止用ブロテクター。
【請求項２】
ネットの網目の大きさが、横幅が１〜８ｍｍ、縦幅が１〜１２ｍｍである請求項１に記載の幼齢木食害防止用プロテクター。
【請求項３】
ネットの網目の大きさが、横幅が１〜３ｍｍ、縦幅が１〜５ｍｍである請求項１に記載の幼齢木食害防止用プロテクター。
【請求項４】
ネットがチュール編からなる略６角形の網目を有するネットである請求項１〜３のいずれか１項に記載の幼齢木食害防止用プロテクター。
【請求項５】
ネットを構成する糸の繊度が８４〜１６８ｄｔｅｘである請求項１〜４のいずれか１項に記載の幼齢木食害防止用プロテクター。
【請求項６】
ネットのＪＩＳ  Ｌ１０１８  ８．１３  グラブ法による横方向伸度が１００〜１５０％、ＪＩＳ  Ｌ  1096  Ｂ-1法による横方向伸長回復率が１０〜４０％である請求項１〜５のいずれか１項に記載の幼齢木食害防止用プロテクター。
【請求項７】
更にネットのＪＩＳ  Ｌ１０１８  ８．１３  グラブ法による縦方向伸度が４０〜５５％、ＪＩＳ  Ｌ  1096  Ｂ-1法による縦方向伸長回復率が４５〜６５％である請求項６に記載の幼齢木食害防止用プロテクター。
【請求項８】
ネットがチュール編からなる略６角形の網目を有するネットであって、ネットを構成する糸が非弾性繊維からなる糸で構成され、ネットの網目の大きさが、横幅が１〜３ｍｍ、縦幅が１〜５ｍｍであり、ネットを構成する糸の繊度が８４〜１０８ｄｔｅｘであり、ネットのＪＩＳ  Ｌ１０１８  ８．１３  グラブ法による横方向伸度が１００〜１５０％、縦方向伸度が４０〜５５％、ＪＩＳ  Ｌ  1096  Ｂ-1法による横方向伸長回復率が１０〜４０％、縦方向伸長回復率が４５〜６５％である請求項１に記載の幼齢木食害防止用プロテクター。
【請求項９】
ネットを構成する糸の素材が、生分解性繊維、セルロース系繊維、ポリアミド系繊維、ポリエステル系繊維、ポリオレフィン系繊維、ポリビニル系繊維から選ばれた繊維から成る請求項８に記載の幼齢木食害防止用プロテクター。
【請求項１０】
筒状ネットの縦方向の長さが１００〜１５０ｃｍである請求項１〜９のいずれか１項に記載の幼齢木食害防止用プロテクター。
【請求項１１】
筒状ネットの径が円筒状にした場合の直径で２０〜４０ｃｍである請求項１〜１０のいずれか１項に記載の幼齢木食害防止用プロテクター。
【請求項１２】
ネットの目付けが５０〜８０ｇ／ｍ2である請求項１〜１１のいずれか１項に記載の幼齢木食害防止用プロテクター。
【発明の詳細な説明】
【技術分野】
【０００１】
本発明は、鹿やカモシカその他の草食獣などによる幼齢木の食害防止用プロテクターに関する。
【背景技術】
【０００２】
近年、人工的な土地開発などにより、鳥獣類の居住領域が狭められ、山林においては、鹿やカモシカなどの獣類による樹木の食害が深刻な問題となってきている。樹木においては、特に苗木などの幼齢木の柔らかい新芽などの食害が極めて深刻な問題となってきている。
【０００３】
新たに植林される苗木などの幼齢木においては、鹿やカモシカなどの獣類による芯芽（樹木の上方向に向かう生長に最も影響のある芽）の食害は特に極めて深刻な問題をもたらす。
【０００４】
幼齢木・苗木の芯芽及び新芽などの食害については、例えば、檜や杉の苗木はおおよそ４０ｃｍから６０ｃｍ位の高さで、これらは植樹後約３年で約１２０ｃｍ〜１６０ｃｍに成長し、ここまで成長すると最上部のほぼ中心にある芯芽を鹿などに食べられる恐れが無くなるが、近年鹿などの数が増え植樹した苗木の芯芽や新芽が食べられる被害が多発している。いったん芯芽を食べられるとその苗木の上方向に向かう成長が止まり植樹の意味が無くなる。このように林業などにおいて当初の目的が果されない食害による被害が頻繁に生じている。
【０００５】
今まで提案されている幼齢木などの植物のプロテクターとしては、プラスチック筒状物で幼齢木などの植物を覆うものが挙げられる（下記特許文献１、２参照）が、プラスチック筒状物で幼齢木が覆われるので、雨が降った際に水分が溜まりやすかったり、孔を空けておいても湿度が外気環境よりも高くなりすぎる、多数運搬するのに山林への運搬がかさばったり重くなるなどの問題がある。
【０００６】
また、生分解性不織布で円筒状に幼齢木などの植物を包み込むことも提案されている（下記特許文献３参照）が、植物成長に必要な太陽光がさえぎられ易いなどの問題がある。
【０００７】
そこで、太陽光の透過をより増加させるために、ネット状物で作った筒状ネットを幼齢木に被せることが現実にはよく行われており、提案されている（下記特許文献４参照）。
【０００８】
しかしながら、筒状ネットは、非伸縮性ネットなので、幼齢木と接触フィットさせずに幼齢木の外側を取り巻くように設置するため（下記特許文献４の図２や図５参照）、支柱などを必要とする。
【０００９】
支柱は、しっかり地中に固定しないと風などで倒れたり、獣の足や口で倒されやすく、支柱があるため、支柱が倒れると、その重みなどの影響で、保護すべき幼齢木まで曲がったり、倒れたりする恐れがある。従って、植林するための作業のほか、支柱は、しっかり地中に固定するための作業が必要となり、通常山林の斜面は傾斜がきついので、この作業労力はかなりの負担になる。しかも、支柱を山林に運搬しなければならないので、その分、重くなり、また嵩張るという問題がある。
【先行技術文献】
【特許文献】
【００１０】
【特許文献１】特開平１１−３４６５７７号公報
【特許文献２】特開２００１−２３１３８４号公報
【特許文献３】特開２００３−３１００６６号公報
【特許文献４】特許第４０２９９０５号公報
【発明の概要】
【発明が解決しようとする課題】
【００１１】
本発明は、筒状ネットからなる幼齢木の食害防止用プロテクターの上記の問題点を解決し、太陽光も十分に通り、幼齢木の周囲の環境を外気環境と同じ環境に保つことができる筒状ネットの利点を生かし、更に運搬も、取り付けも簡単な、幼齢木の側枝に筒状ネットの側面を接触フィットさせて装着して使用するための幼齢木食害防止用プロテクターを提供することを目的とする。
【課題を解決するための手段】
【００１２】
前記課題を解決するため、本発明の幼齢木食害防止用プロテクターは、次のものである。
【００１３】
（１）伸縮性を有する編物からなるネットで形成された筒状ネットからなり、前記筒状ネットの上下のそれぞれの開口部周囲縁に紐を挿通するための紐通しガイド部が形成されていて当該上下の紐通しガイド部内にそれぞれ紐が挿通されている幼齢木食害防止用ブロテクター。
【００１４】
（２）前記（１）項に記載の幼齢木食害防止用プロテクターにおいては、ネットの網目の大きさが、横幅が１〜８ｍｍ、縦幅が１〜１２ｍｍであることが好ましい。
【００１５】
（３）前記（１）項に記載の幼齢木食害防止用プロテクターにおいては、ネットの網目の大きさが、横幅が１〜３ｍｍ、縦幅が１〜５ｍｍであることが好ましい。
【００１６】
（４）前記（１）〜（３）項のいずれか１項に記載の幼齢木食害防止用プロテクターにおいては、ネットがチュール編からなる略６角形の網目を有するネットであることが好ましい。
【００１７】
（５）前記（１）〜（４）項のいずれか１項に記載の幼齢木食害防止用プロテクターにおいては、ネットを構成する糸の繊度が８４〜１６８ｄｔｅｘであることが好ましい。
【００１８】
（６）前記（１）〜（５）項のいずれか１項に記載の幼齢木食害防止用プロテクターにおいては、ネットのＪＩＳ  Ｌ１０１８  ８．１３  グラブ法による横方向伸度が１００〜１５０％、ＪＩＳ  Ｌ  1096  Ｂ-1法による横方向伸長回復率が１０〜４０％であることが好ましい。
【００１９】
（７）前記（６）項に記載の幼齢木食害防止用プロテクターにおいては、更にネットのＪＩＳ  Ｌ１０１８  ８．１３  グラブ法による縦方向伸度が４０〜５５％、ＪＩＳ  Ｌ  1096  Ｂ-1法による縦方向伸長回復率が４５〜６５％であることが好ましい。
【００２０】
（８）前記（１）項に記載の幼齢木食害防止用プロテクターにおいては、ネットがチュール編からなる略６角形の網目を有するネットであって、ネットを構成する糸が非弾性繊維からなる糸で構成され、ネットの網目の大きさが、横幅が１〜３ｍｍ、縦幅が１〜５ｍｍであり、ネットを構成する糸の繊度が８４〜１０８ｄｔｅｘであり、ネットのＪＩＳ  Ｌ１０１８  ８．１３  グラブ法による横方向伸度が１００〜１５０％、縦方向伸度が４０〜５５％、ＪＩＳ  Ｌ  1096  Ｂ-1法による横方向伸長回復率が１０〜４０％、縦方向伸長回復率が４５〜６５％であることが好ましい。
【００２１】
（９）前記（８）項に記載の幼齢木食害防止用プロテクターにおいては、ネットを構成する糸の素材が、生分解性繊維、セルロース系繊維、ポリアミド系繊維、ポリエステル系繊維、ポリオレフィン系繊維、ポリビニル系繊維から選ばれた繊維から成ることが好ましい。
【００２２】
（１０）前記（１）〜（９）項のいずれか１項に記載の幼齢木食害防止用プロテクターにおいては、筒状ネットの縦方向の長さが１００〜１５０ｃｍであることが好ましい。
【００２３】
（１１）前記（１）〜（１０）項のいずれか１項に記載の幼齢木食害防止用プロテクターにおいては、筒状ネットの径が円筒状にした場合の直径で２０〜４０ｃｍであることが好ましい。
【００２４】
（１２）前記（１）〜（１１）項のいずれか１項に記載の幼齢木食害防止用プロテクターにおいては、ネットの目付けが５０〜８０ｇ／ｍ2であることが好ましい。
【発明の効果】
【００２５】
＜１＞本発明の食害防止用プロテクターは、筒状ネットからなるので、太陽光も十分に通り、植物の環境を外気環境と同じ環境に保つことができ、しかも、編み物ネットからなるので、コンパクトに折たたんで運搬でき、支柱なども必要としないことから、全体に軽く運搬が簡単で、幼齢木に被せ必要により上下の紐通しガイド部内に挿通されている紐を縛る程度で幼齢木に装着でき、しかも、筒状ネットは伸縮性を有するので、幼齢木の側枝を斜め上にすぼめるようにして筒状ネットの側面を接触フィットさせて装着することにより、プロテクターが簡単に幼齢木から抜けて脱離する恐れも小さく、幼齢木の成長を妨げない、幼齢木の食害防止用プロテクターを提供できる。
【００２６】
すなわち、図面を参照して説明をすると、本発明の幼齢木食害防止用プロテクターは、図２の如く幼齢木１０の長い枝１１が横方向に張り出ている幼齢木の径よりも若干小さな径の筒状ネットを有するプロテクター１（図１がプロテクター）を用いて、図２に記載のように、幼齢木（苗木）１０をその根１３の方から図１に記載の本発明のプロテクター１の上側の開口部側から、プロテクター１内に挿入し、そうすることにより、図３に示すように幼齢木１０の側枝は上方ないし斜め上方にすぼめられるような形で筒状ネットの側面が幼齢木１０の側枝に接触フィットするように装着されることになり、もとの形に広がろうとする側枝の力が筒状ネットの側面を押圧し、それによってプロテクター１が保持され、風などで吹き飛ばされないようになる。もちろん、必要に応じ、図３に示す如く、紐通しガイド部内に挿通されている紐６を幼齢木１０の幹に縛って、固定することで脱落防止効果を一層確実にすることができる。そして、幼齢木が成長するにつれて、芯芽に相当する幼齢木のトップの部分１２も伸びて、背が高くなるが、側枝が筒状ネットの側面を支えているので、側枝が伸びるに従いネット側面を少しずつ押し上げるので、ネットの上側の開口部が図３に示すように紐５で閉じられていても、プロテクター１の全体の重みが芯芽に相当する幼齢木のトップの部分１０に過度にかかって、幼齢木のトップの部分を曲げてしまうと言うような問題も生じない。また、ネットが伸縮性を有するので、非伸縮性のネットで同様のことをすると、筒状ネットの側面が側枝を押圧する力が緩和されないので、あまりに過度な力が側枝にかかりすぎて、生育に不都合を生じさせることがあるが、若干伸縮性を持たせておくことで、幼齢木が１００〜１５０ｃｍに成長するまでは、そのような生育障害を生じない。幼齢木が１００〜１５０ｃｍに成長すれば、幼齢木のトップの部分の芯芽に鹿などの口が届かなくなるので、プロテクターをはずせばよいし、プロテクターを構成する素材の種類によっては、はずさなくても風化（劣化）して自然に崩壊するものもあり、特に、生分解性繊維からなる素材を用いている場合は、生分解により保護が不要となるころには分解し、放置しておいても、環境汚染を引き起こすこともない。また、ネットが伸縮性を有するので、ネットのすそを鹿などが足で引っ張っても簡単にやぶくことができにくいし、同様に、ネットが伸縮性を有するので、口でも噛み切りにくい、保護を必要とする間は、側枝が成長してもネットの伸縮性で応力を緩和するので、ネットが側枝の成長で簡単にやぶけてしまう恐れも少なくできる。
【００２７】
＜２＞前記（２）項（課題を解決するための手段の欄に記載の（２）項を指す。以下同様）に記載の様に、ネットの網目の大きさを、横幅が１〜８ｍｍ、縦幅が１〜１２ｍｍとすることにより、太陽光の透過や、空気の透過を妨げず、しかも、幼齢木の枝や新芽が網目をすり抜けてプロテクターの外部に出てしまいやすくなったり、新たに生じた新芽などがネットの網目を通して、プロテクターの外部に出てしまう機会を少なくでき好ましい。なお、ここでネットの横方向とは、ネットの編み方向と直角方向であって筒状ネットプロテクターの径方向を言い、ネットの縦方向とはネットの編み方向であって筒状ネットプロテクターの長さ方向を言う。上記ネットの網目の横幅、縦幅の縦・横の方向も同様の方向である。そして、ネットそのものでは、以下についても同様である。
【００２８】
＜３＞また、前記（３）項に記載の様に、ネットの網目の大きさを、横幅が１〜３ｍｍ、縦幅が１〜５ｍｍとすることにより、上記＜２＞項に記載の効果がより一層良好に発揮されやすくなり好ましい。しかも、弾性繊維から成る糸などを使用せず、非弾性繊維（例えば、生分解性繊維のほとんどや、コストが安く丈夫な汎用繊維の大部分は非弾性繊維である）の糸からなる編物のネットで少なくとも横方向の安定した伸縮性を持たせるには、ネットの網目の大きさをこの範囲内（なるべく小さい方が好ましい）とすることが好ましい。ネットの網目の大きさを大きくすると、幼齢木の枝や新芽が網目をすり抜けてプロテクターの外部に出てしまいやすくなったり、ネットの網目自体の形が変形して伸縮するので、横方向の安定した伸縮性を持たせにくくなる。また、ネットの網目自体が変形した場合に、新たに生じた新芽などがネットの網目を通して、プロテクターの外部に出てしまうおそれが生じやすくなる傾向になる。
【００２９】
＜４＞また、前記（４）項に記載の様に、ネットがチュール編からなる略６角形の網目を有するネットとすることにより、トリコット編機やラッセル編機で容易に製造することができ、且つ、非弾性繊維から成る糸を用いて伸縮性を有するネットを製造するのに好適な編み組織であり好ましい。
【００３０】
＜５＞また、前記（５）項に記載の様に、幼齢木食害防止用プロテクターにおいては、ネットを構成する糸の繊度を８４〜１６８ｄｔｅｘとすることにより、引き裂き強度、破裂強度などの必要な強度を具備し、しかも糸が太すぎて、太陽光の透過率が低下することを防止できる。また、糸が太すぎて側枝に過度の力がかかりすぎることを防止でき好ましい。
【００３１】
＜６＞また、前記（６）項に記載の様に、伸縮性のファクターとして、ネットのＪＩＳ  Ｌ１０１８  ８．１３  グラブ法による横方向伸度を１００〜１５０％、ＪＩＳ  Ｌ  1096  Ｂ-1法による横方向伸長回復率を１０〜４０％とすることにより、筒状ネットの側面が側枝を押圧する力が過度になることがなく、幼齢木が１００〜１５０ｃｍに成長するまでは、生育障害を生じる恐れをなくすことができる。そしてネットのすそを鹿などが足で引っ張っても簡単にやぶくことができにくいし、同様に、ネットが伸縮性を有するので、口でも噛み切りにくい、保護を必要とする間は、側枝が成長してもネットの伸縮性で応力を緩和するので、ネットが側枝の成長で簡単にやぶけてしまう恐れも少なくでき、また、弾性繊維を用いなくても実現可能な伸縮率であり好ましい。
【００３２】
＜７＞また、前記（７）項に記載の様に、前記（６）項に記載の幼齢木食害防止用プロテクターにおいて、更にネットのＪＩＳ  Ｌ１０１８  ８．１３  グラブ法による縦方向伸度を４０〜５５％、ＪＩＳ  Ｌ  1096  Ｂ-1法による縦方向伸長回復率を４５〜６５％とすることにより、横方向だけでなく、更に縦方向にも伸縮性を持たせることにより、上記＜６＞項に記載の効果をより効果的に発揮でき、また、若干、縦方向に伸びがないと、設置する時の作業性が悪くなることと（プロテクターに幼齢木を挿入する際に、枝などが網目に引っかかった場合、無理に引っ張ると破れるおそれがあるので、作業性が悪くなる）、成長段階においても縦方向にも伸縮性がある程度あったほうが幼齢木へ与えるダメージがより少なくなるので好ましい。尚、縦方向伸度があまり大きすぎると、プロテクターに幼齢木を挿入する際の作業性が悪くなったり、横方向の伸びが悪くなったりするので、縦方向伸度は４０〜５５％、縦方向伸長回復率を４５〜６５％とすることが好ましい。また、この範囲の伸縮性は、弾性繊維から成る繊維を用いなくても実現可能な伸縮性であり好ましい。
【００３３】
＜８＞また、前記（８）項に記載の様に、ネットがチュール編からなる略６角形の網目を有するネットであって、ネットを構成する糸が非弾性繊維からなる糸で構成され、ネットの網目の大きさが、横幅が１〜３ｍｍ、縦幅が１〜５ｍｍであり、ネットを構成する糸の繊度が８４〜１０８ｄｔｅｘであり、ネットのＪＩＳ  Ｌ１０１８  ８．１３  グラブ法による横方向伸度が１００〜１５０％、縦方向伸度が４０〜５５％、ＪＩＳ  Ｌ  1096  Ｂ-1法による横方向伸長回復率が１０〜４０％、縦方向伸長回復率が４５〜６５％であることが、非弾性繊維からなる糸を用いて、ネットを構成しても上述した＜１＞〜＜７＞に記載の効果をより効果的に発揮できる好適なプロテクターを提供でき好ましい。弾性繊維からなる糸を用いると、全体として重くなり、幼齢木に装着した時に負担がかかりやすい傾向になるのと、コストが高くなるので、上記条件を満足させることにより、非弾性繊維からなる糸を用いてネットを構成しても、上述したような好ましいネットの伸縮性を安定して発揮せることができるので好ましい。
【００３４】
＜９＞また、前記（９）項に記載の様に、前記（８）項に記載の幼齢木食害防止用プロテクターにおいて、ネットを構成する糸の素材が、生分解性繊維、セルロース系繊維、ポリアミド系繊維、ポリエステル系繊維、ポリオレフィン系繊維、ポリビニル系繊維から選ばれた繊維から成る態様とすることにより、生分解性繊維から成るネットは、特に生分解性繊維は、通常、非弾性繊維であるが、生分解により保護が不要となるころにはネットが分解し、放置しておいても、環境汚染を引き起こすこともなく好ましく、セルロース系繊維、ポリアミド系繊維、ポリエステル系繊維、ポリオレフィン系繊維、ポリビニル系繊維は通常、非弾性繊維で山林などで幼齢木保護に大量に使用する場合にコストも安く、ネット状にしても比較的必要な強度を有する繊維であり、好ましい。特に生分解性繊維を用いたものは、プロテクターを施したまま放置しても、生分解により保護が不要となるころにはプロテクターが分解し環境汚染を引き起こすこともないし、回収の手間もかからないのでより好ましい。
【００３５】
＜１０＞また、前記（１０）項に記載の様に、筒状ネットの縦方向の長さを１００〜１５０ｃｍとすることにより、鹿などの獣の口が幼齢木トップの芯芽まで届かなくなる高さになるまで幼齢木が成長するまでの範囲をカバーできるプロテクターの長さを有しており、好ましい。
【００３６】
＜１１＞また、前記（１１）項に記載の様に、筒状ネットの径が円筒状にした場合の直径で２０〜４０ｃｍとすることにより、対象となる幼齢木の種類にもよるが、もっとも頻繁に植林される幼齢木の側枝を斜め上にすぼめるようにして筒状ネットの側面を接触フィットさせて装着するのに好適な径の範囲であり好ましい。
【００３７】
＜１２＞また、前記（１２）項に記載の様に、ネットの目付けを５０〜８０ｇ／ｍ2とすることにより、あまりに目付けが大きすぎて、荷重が幼齢木にかかりすぎて、特に幼齢木トップの芯芽にプロテクターの荷重がかかりすぎて、プロテクターの全体の重みが芯芽に相当する幼齢木のトップの部分に過度にかかって、幼齢木のトップの部分を曲げてしまうと言うような問題も生じないし、また、あまりに目付けが小さすぎて、強度が低下してしまう恐れもなく好ましい。
【図面の簡単な説明】
【００３８】
【図１】本発明の幼齢木食害防止用プロテクターの一実施形態の斜視図。
【図２】本発明の幼齢木の食害防止用プロテクターを保護対象の幼齢木に装着する装着方法を説明するための装着開始段階の説明図。
【図３】本発明の幼齢木の食害防止用プロテクターを保護対象の幼齢木に装着完了した状態を示している説明図。
【図４】６角形のネットの網目形状を有するネットの平面図。
【図５】菱形（４角形）のネットの網目形状を有するネットの平面図。
【発明を実施するための形態】
【００３９】
本発明の理解を容易にするため、以下、具体的態様を示す図面を引用しながら本発明を説明するが、本発明のプロテクターは、図示されたもののみに限定されるものではない。
【００４０】
図１は、本発明の幼齢木食害防止用プロテクターの一実施形態の斜視図である。本発明の幼齢木食害防止用プロテクター１は、伸縮性を有する編物からなるネットで形成された筒状ネット２からなり、前記筒状ネットの上下のそれぞれの開口部周囲縁をおよそ１〜３ｃｍの幅で折り返して縫合して形成された紐通しガイド部３、４を有し、当該上下の紐通しガイド部３、４内にそれぞれ紐５、６が挿通されている。伸縮性を有する編物からなるネットから筒状ネットを形成するには、１枚のネット編み物を円筒状にして縁部を重ね合わせて、縁部を縫合して円筒状にしてもよいし（このときの縫合ラインを７で示した。）、図示していないが、２枚のネット編み物を重ねてその左右の縁で縫合して筒状にしてもよいし、ダブルラッセル編み機で当初から円筒状に編んでもよい。
【００４１】
前記筒状ネットの上下のそれぞれの開口部周囲縁には、紐を挿通するための紐通しガイド部３、４が形成されている。紐通しガイド部３、４内にそれぞれ紐５、６が挿通されている。特に限定するものではないが、紐通しガイド部３、４は、前記筒状ネットの上下のそれぞれの開口部周囲縁を折り返して折り返された方の縁を筒状ネット本体に縫合して紐通しガイド部３、４を形成してもよいし、別途、筒状ネット本体の周縁方向に細長く延びる当て布（好ましくはネット状物からなる細長い当て布）を用意し、その上下の縁を前記筒状ネットの上下のそれぞれの開口部周囲縁に縫合して紐通しガイド部３、４を形成してもよいし、ズボンのベルト通しのように（ここでは紐通し部片と略称する）間欠的に前記筒状ネットの上下のそれぞれの開口部周囲縁に紐通し部片を縫合などにより設けて紐通しガイド部を形成してもよい。図1に示した例は、前記筒状ネットの上下のそれぞれの開口部周囲縁を折り返して折り返された方の縁が筒状ネット本体に縫合されて紐通しガイド部３、４が形成されている態様であり、この態様が、紐通しガイド部形成のための手間が少なくコスト的に有利である。かくして形成された紐通しガイド部３、４内にそれぞれ紐５、６が挿通されている。
【００４２】
紐は通常、筒状ネットの開口部周囲長より若干長めの紐を用いて、紐の両端部が、紐通しガイド部３、４から外に出ているようにしておく。
【００４３】
筒状ネットを形成しているネットは、伸縮性を有する編物からなるネットであり、ネットを構成する糸の繊度は８４〜１６８ｄｔｅｘとすることが、引張強度、破裂強度などの必要な強度を具備し、しかも糸が太すぎて、太陽光の透過率が低下することもなく、また、糸が太すぎて側枝に過度の力がかかりすぎることを防止でき好ましい。
【００４４】
ネットを構成する糸は、弾性繊維を含有する繊維から成る糸であってもよいし、非弾性繊維のみからなる糸で形成されていてもよい。弾性繊維としてはポリウレタン繊維などが代表的である。ポリウレタン繊維などの使用は、ネット全体が重くなること、コストが高くなるなどの面から、非弾性繊維のみからなる糸で形成されている伸縮性を有する編物ネットを用いることがより好ましい。
【００４５】
かかる非弾性繊維としては、生分解性繊維、セルロース系繊維、ポリアミド系繊維、ポリエステル系繊維、ポリオレフィン系繊維、ポリビニル系繊維などの各種天然繊維、半合成繊維、合成繊維などが挙げられる。
【００４６】
このうちでも、生分解性繊維を用いることが、生分解により保護が不要となるころには本発明のプロテクターが分解し、放置しておいても、環境汚染を引き起こすこともなく好ましい。この場合、挿通されている紐５、６も生分解性繊維から形成されている紐を用いることが、上記と同様の理由でより好ましい。
【００４７】
生分解性繊維の素材である生分解性樹脂としては、例えば、ポリ乳酸、乳酸と他のヒドロキシカルボン酸との共重合体、ポリブチレンサクシネート、ポリエチレンサクシネート、ポリブチレンアジペート、ポリブチレンサクシネート／アジペート共重合体、ポリヒドロキシブチレート／バリレート共重合体、ポリ−β−ヒドロキシ酪酸、ポリカプロラクトン、カプロラクトンと他のヒドロキシカルボン酸との共重合体などが挙げられる。
【００４８】
なお、生分解性繊維も含めて、非弾性繊維からなる糸を用いて、ネットを構成する場合には、糸の繊度は８４〜１０８ｄｔｅｘの範囲でなるべく小さいものが好ましい。非弾性繊維からなる糸を用いる場合糸の繊度がこの範囲をはずれると、編み組織を工夫してもネットの伸縮性が発揮できなくなる傾向になる。
【００４９】
ネットを構成する糸は、マルチフィラメント糸、モノフィラメント糸、紡績糸などいずれを用いてもよいが、一般的には、マルチフィラメント糸が紡績糸より強度が高く、かつ、同じ太さのモノフィラメント糸よりやわらかい質感であり、幼齢木などの苗木を痛める可能性が少なく好ましいが、モノフィラメント糸は苗木の種類によっては、例えば針葉樹などの葉が硬いものには適当である。
【００５０】
ネットの網目の大きさは、横幅が１〜８ｍｍ、縦幅が１〜１２ｍｍの範囲が、太陽光の透過や、空気の透過を妨げず、しかも、新たに生じた新芽などがネットの網目を通して、プロテクターの外部に出てしまう機会を少なくでき好ましい。特に、ネットの網目の大きさを、横幅が１〜３ｍｍ、縦幅が１〜５ｍｍの範囲とすることが好ましく、ネットの網目の大きさが大きくなると、幼齢木の枝や新芽が網目をすり抜けてプロテクターの外部に出てしまいやすくなったり、網目自体の形が変形して伸びが生じやすくなるので、新たに生じた新芽などが変形したネットの網目を通して、プロテクターの外部に出てしまうおそれも出やすくなる傾向になり、特に非弾性繊維糸を用いてネットを構成した場合、編み組織を工夫してもネットの横方向の伸縮性が十分安定して発揮できなくなる傾向になる。また、あまりにネットの網目が小さいと、太陽光の透過性や空気の透過性が低下したり、風に当たった場合の風圧抵抗が大きくなる傾向になる。
【００５１】
ここで網目の大きさは、張力をかけない状態での測定値である。もちろんネット編み物のヒートセットなどの仕上セット後での値である。
【００５２】
ネットの網目の形状は、６角形、菱形（４角形）、５角形、３角形などが挙げられ、非弾性繊維糸を用いた場合にはネットに伸縮性を付与しやすい形状が好ましい。図４、図５にネットの網目の形状の一実施形態例の平面図を示した。図４が、ネットの網目の形状が６角形のネットの網目形状を有するネットの平面図であり、矢印は筒状ネットにした場合のネットの縦方向（ネットの編み方向：図４の上下方向）（筒状ネットプロテクターの長さ方向）を示している。図５が、ネットの網目の形状が菱形（４角形）のネットの網目形状を有するネットの平面図であり、矢印は筒状ネットにした場合のネットの縦方向（ネットの編み方向：図５の上下方向）（筒状ネットプロテクターの長さ方向）を示している。
【００５３】
非弾性繊維糸を用いた場合、ネットがチュール編からなる略６角形の網目を有するネットとすることが特にネット横方向の伸縮性が安定して発揮しやすくなり好ましい。
【００５４】
チュール編は、トリコット編み機などで容易に編むことができ、製造が容易であり好ましい。
【００５５】
非弾性繊維糸を用いてネットのＪＩＳ  Ｌ１０１８  ８．１３  グラブ法による横方向伸度が１００〜１５０％、ＪＩＳ  Ｌ  1096  Ｂ-1法による横方向伸長回復率が１０〜４０％、更にネットのＪＩＳ  Ｌ１０１８  ８．１３  グラブ法による縦方向伸度が４０〜５５％、ＪＩＳ  Ｌ  1096  Ｂ-1法による縦方向伸長回復率が４５〜６５％の伸縮性を有する本発明で用いるネットを製造する条件として、もっとも好ましくは、ネットを構成する糸が非弾性繊維、特に生分解性繊維からなる糸で構成され、ネットの網目の大きさが、横幅が１〜３ｍｍ、縦幅が１〜５ｍｍであり、ネットを構成する糸の繊度を８４〜１０８ｄｔｅｘとし、チュール編からなる略６角形の網目を有するネットすることで、上記の如く伸縮性がネットに発現され好ましい。非弾性繊維糸を用いてネットを形成する場合に、これらの条件をはずすと、横方向の伸縮性が十分安定して発現しにくくなる傾向になるし、網目が大きすぎると、網目自体の形が変形して伸びが生じやすくなるので、新たに生じた新芽などが変形したネットの網目を通して、プロテクターの外部に出てしまうおそれも出やすくなる傾向になる。
【００５６】
ネットの目付けは５０〜８０ｇ／ｍ2とすることが好ましく、あまりに目付けが大きすぎて、荷重が幼齢木にかかりすぎて、特に幼齢木トップの芯芽にプロテクターの荷重がかかりすぎて、プロテクターの全体の重みが芯芽に相当する幼齢木のトップの部分に過度にかかって、幼齢木のトップの部分を曲げてしまうと言うような問題も生じないし、また、あまりに目付けが小さすぎて、強度が低下してしまう恐れもなく、上記範囲とすることが好ましい。
【００５７】
また、ネットの強度に関しては、ＪＩＳ  Ｌ１０１８  ８．１３  グラブ法による引張強度がネットの縦方向が９０〜１５０Ｎ、横方向が４０〜７０Ｎ程度が好ましく、ミューレン形法：ＪＩＳ  Ｌ  １０１８  Ａ法（150×150ｍｍ）による破裂強度がネットの縦・横方向とも２００Ｋｐａ〜５００Ｋｐａであることが好ましいが、これに限定されるものではない。
【００５８】
次に本発明のプロテクターの長さとしては、筒状ネットの縦方向の長さを１００〜１５０ｃｍとすることが、鹿などの獣の口が幼齢木トップの芯芽まで届かなくなる高さになるまで幼齢木が成長するまでの範囲をカバーできるプロテクターの長さを有しており、好ましい。幼齢木は、木の種類にもよるが、おおよそ３０ｃｍから６０ｃｍ位の高さの苗木を植えつけるので、筒状ネットの縦方向の長さが１００〜１５０ｃｍあると、植え付け当初は、筒状ネットが縦方向にたるんだ状態で幼齢木に装着されることになる。また、筒状ネットの径は、特に限定するものではないが、円筒状にした場合の直径で２０〜４０ｃｍとすることにより、保護対象となる幼齢木の種類にもよるが、もっとも頻繁に植林される幼齢木の側枝を斜め上にすぼめるようにして筒状ネットの側面を接触フィットさせて装着するのに好適な径の範囲であり好ましい。より横方向の枝の広がり径の小さい幼齢木に適用する場合には、必要に応じ、上記の範囲より径の小さい筒状ネットを用いればよく、より横方向の枝の広がり径の大きい幼齢木に適用する場合には、必要に応じ、上記の範囲より径の大きい筒状ネットを用いればよいのである。要は、植林される幼齢木の側枝を斜め上にすぼめるようにして筒状ネットの側面を接触フィットさせて装着させるのに好適な筒状ネット径のものを使用すればよく、植林される幼齢木の側枝をすぼめなくてもプロテクターの筒状ネットに挿入できるものは筒状ネットの径が大きすぎるのであり、一方、筒状ネット内に幼齢木が入らないとか、筒状ネット内に幼齢木を挿入する場合に側枝がかなり折れてしまうとか、葉が筒状ネットにこすれて取れてしまうほどの力を入れて無理に挿入しないと入らないような場合には筒状ネットの径が小さすぎるのであり、植林の対象となる幼齢木の大きさに応じて、筒状ネットの径を選定すればよい。
【００５９】
鹿などによる食害は木が５年ほどたってくると、表面の樹皮が固くなり害は起こらなくなる。この５年間ほどの間は、枝も柔らかく新芽も柔らかいので、幼齢木の側枝を斜め上にすぼめるようにして筒状ネットの側面を接触フィットさせて装着させておいても、何ら問題なく成長することを確認している。
【００６０】
図２は図１に示した本発明の幼齢木の食害防止用プロテクターを保護対象の幼齢木に装着する装着方法を説明するための装着開始段階の説明図であり、図３は図１に示した本発明の幼齢木の食害防止用プロテクターを保護対象の幼齢木に装着完了した状態を示している説明図である。
【００６１】
本発明の食害防止用プロテクターを保護対象の幼齢木に装着するには、図１に示した本発明の幼齢木の食害防止用プロテクター１を図２に示すように幼齢木１０の下側（根１３側）から被せていき、根１３はプロテクター１の下側の開口部から突き出させて露出させる。プロテクター１の下側の紐通しガイド部４内を通っている紐６を幼齢木の側枝の出ていない幹の部分で縛り付けて、プロテクター１が鹿などの獣に引き抜かれないようにしておく。更にプロテクター１を幼齢木１０の幼齢木トップの芯芽１２よりもやや上方まで引っ張って被せる。そうすることにより、図３に示すように幼齢木１０の側枝１１は上方ないし斜め上方にすぼめられるような形で筒状ネットの側面が幼齢木１０の側枝に接触フィットするように装着されることになり、もとの形に広がろうとする側枝の力が筒状ネットの側面を押圧し、それによってプロテクター１が保持される。プロテクター１の上側の開口部が幼齢木トップの芯芽１２よりやや上方の位置になるまでプロテクター１を被せ、上側の開口部の紐通しガイド部３内を通っている紐５を締めて縛り、上側の開口部を塞ぐ。幼齢木はその種類にもよるが、２０〜３０ｃｍ／年程度成長して伸びるので、上下方向にたるみを持たせてプロテクター１を装着しておく。特に下方側に多くのたるみを持たせておくのがよい。
【００６２】
かくして、プロテクター１を装着した幼齢木を目的の場所に植えつければよい。プロテクター１の幼齢木への装着作業は、プロテクター１と幼齢木をそれぞれ目的の植林場所まで運んで、植林する場所で幼齢木に装着してもよいが、あらかじめ、プロテクター１を幼齢木に装着しておいて、プロテクター１を装着した幼齢木を目的の植林場所まで運搬する方が、幼齢木の枝の広がりをすぼめて運搬できるのと、幼齢木同士の枝などが絡み合わず、プロテクターを装着しないで幼齢木を運搬すると、運搬のために幼齢木同士の重なりで、枝の絡み合いなどが生じて現地でこれを引き離す厄介な作業を急な山の斜面などの現地で行わなくてよいという点では好ましい。
【００６３】
本発明のプロテクターを装着する対象樹木の種類は特に制限されるものではなく、檜、杉、松、夏椿、山もみじ、白樫、やまもも、山桜、くぬぎ、栗、とち、えのき、くぬぎ、こなら、欅、ぶな、いろはもみじ、柿、その他の各種の樹木に適用することができる。
【実施例】
【００６４】
図１に示す幼齢木食害防止用プロテクター１として、生分解性繊維であるポリ乳酸繊維から成る８４ｄｔｅｘ（２６フィラメント）のマルチフィラメント糸を用いチュール編からなる略６角形の網目を有する図４に示したネットで、ネットの網目の大きさが、横幅が１ｍｍ、縦幅が１．５ｍｍであり、ネットのＪＩＳ  Ｌ１０１８  ８．１３  グラブ法による横方向伸度が１２４．９％、縦方向伸度が５０．１％で、ＪＩＳ  Ｌ  1096  Ｂ-1法による横方向伸長回復率が１７．９％、縦方向伸長回復率が５８．６％、ＪＩＳ  Ｌ１０１８  ８．１３  グラブ法によるネット横方向の引張強度が５２．８Ｎ、ネット縦方向の引張強度が１１９．０Ｎ、ミューレン形法：ＪＩＳ  Ｌ  １０１８  Ａ法（150×150ｍｍ）によるネットの横方向の破裂強度と縦方向の破裂強度の平均値が３８３Ｋｐａ、目付け５１ｇ/ｍ2であるネットを用いて、図１に示した幼齢木食害防止用プロテクター１を用意した。紐通しガイド部３、４内に挿通されている紐５、６もポリ乳酸繊維から成る幅１ｃｍの平たい紐（トリコット編みの耳部をカットして耳部を紐として利用したもの）を用いた。なお、幼齢木食害防止用プロテクター１の筒状ネットの直径が２０ｃｍ、幼齢木食害防止用プロテクター１の縦方向の長さを１５０ｃｍとして、図２、図３を用いて上記で説明した方法により、檜と杉の高さおよそ４０ｃｍから６０ｃｍの幼齢木に幼齢木食害防止用プロテクターを装着し、植えつけた。尚、３年後に観察したところ、幼齢木食害防止用プロテクターによる成長阻害は観察されなかった。
【００６５】
尚、上記において、ネットの縦及び横方向の伸度と引張強度は、いずれもＪＩＳ  Ｌ１０１８  ８．１３  グラブ法に準拠し、引張試験機としてミネベヤ株式会社製“テクノグラフ  ＴＧＥ−１０ｋＮを使用し、試験片の試験幅１０ｃｍ、つかみ間隔７．６ｃｍ、引張速度３０ｃｍ／ｍｉｎの条件で測定し、測定回数５回（試験片をその都度新しいものに代える）の平均値を採用した。また、ネットの縦及び横方向の伸長回復率（％）は、ＪＩＳ  Ｌ  1096  Ｂ-1法(定荷重法)に従い、荷重14.7Ｎで測定した値である。
【産業上の利用可能性】
【００６６】
本発明の食害防止用プロテクターは、幼齢木の成長を妨げず、太陽光も十分に通り、幼齢木の周囲の環境を外気環境と同じ環境に保ち、運搬も取り付けも簡単な幼齢木食害防止用プロテクターとして農業、林業などの産業において有効に利用できる。
【符号の説明】
【００６７】
１  幼齢木食害防止用プロテクター
２  筒状ネット
３、４  紐通しガイド部
５、６  紐
７  縫合ライン
１０  幼齢木
１１  側枝
１２  幼齢木トップの芯芽
１３  根
【図１】
2010239889.tif 000003
【図２】
2010239889.tif 000004
【図３】
2010239889.tif 000005
【図４】
2010239889.tif 000006
【図５】
2010239889.tif 000007
【手続補正書】
【提出日】平成21年4月21日(2009.4.21)
【手続補正１】
【補正対象書類名】明細書
【補正対象項目名】００１３
【補正方法】変更
【補正の内容】
【００１３】
（１）伸縮性を有する編物からなるネットで形成された筒状ネットからなり、前記筒状ネットの上下のそれぞれの開口部周囲縁に紐を挿通するための紐通しガイド部が形成されていて当該上下の紐通しガイド部内にそれぞれ紐が挿通されている幼齢木食害防止用プロテクター。
【手続補正２】
【補正対象書類名】特許請求の範囲
【補正対象項目名】請求項１
【補正方法】変更
【補正の内容】
【請求項１】
伸縮性を有する編物からなるネットで形成された筒状ネットからなり、前記筒状ネットの上下のそれぞれの開口部周囲縁に紐を挿通するための紐通しガイド部が形成されていて当該上下の紐通しガイド部内にそれぞれ紐が挿通されている幼齢木食害防止用プロテクター。